【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
レーザビームを用いて膣管又は他の自然なオリフィス若しくは外科的に得られるオリフィスを処置するための装置であって、
レーザビームスキャニングシステムに関連付けられた前記管又はオリフィスの壁用リトラクタを備えた装置において、
前記リトラクタが、ピラミッド型又は切頭ピラミッド型レーザビーム反射鏡を備え、該反射鏡にリトラクタの軸線の周りに配置され、かつ、それに対して傾斜された複数の平面反射面が設けられ、かつ、該反射鏡がリトラクタの遠位端部の近くに配置され、
レーザビームスキャニングシステムが、レーザビーム反射鏡の各平面反射面に向けてレーザビームを連続して指向するように構成され、かつ、制御され、
照射処置パターンに従う一連のレーザスポットが、各反射面上に生成され、各反射面によってリトラクタの外側に反射される
ことを特徴とする処置装置。
【請求項２】
前記リトラクタが、実質的に円筒状の中空本体を有し、その遠位端部に、前記レーザビーム反射鏡が固定され、
前記レーザビーム反射鏡が、レーザビーム反射鏡とリトラクタの実質的に円筒状の本体との間に自由空間を残す少なくとも一つのスペーサを用いて、リトラクタの実質的に円筒状の本体に接続され、
前記少なくとも一つのスペーサが、レーザビーム反射鏡の角部に配置される
ことを特徴とする請求項１に記載の装置。
【請求項３】
前記リトラクタが、該リトラクタに関連付けされた、膣管又は他のオリフィスの壁の画像を獲得するための画像獲得システムを有する
ことを特徴とする請求項１又は２に記載の装置。
【請求項４】
画像獲得鏡が、前記レーザ反射鏡に関連付けられている
ことを特徴とする請求項３に記載の装置。
【請求項５】
前記画像獲得鏡が、円錐形又は切頭円錐形反射面を備えている
ことを特徴とする請求項４に記載の装置。
【請求項６】
レーザビーム反射鏡及び画像獲得鏡が実質的に同軸である
ことを特徴とする請求項４又は５に記載の装置。
【請求項７】
前記レーザビーム反射鏡及び前記画像獲得鏡が、レーザビーム反射鏡によって反射される光ビームが、画像獲得鏡が画像獲得レンズに向けて画像を反射する膣管又はオリフィスの部分を照射するように、相互に指向される
ことを特徴とする請求項６に記載の装置。
【請求項８】
前記レーザビーム反射鏡が、四角形、好ましくは正方形の基部を有する
ことを特徴とする請求項１〜７の何れか一項に記載の装置。
【請求項９】
画像獲得鏡及びレーザビーム反射鏡は、実質的に同軸であり、相互に向き合う頂点又は小さい基部を有する
ことを特徴とする請求項５に記載の装置。
【請求項１０】
前記画像獲得システムが、レーザビーム反射鏡の中に収容されるカメラを備えている
ことを特徴とする請求項３〜９の何れか一項に記載の装置。
【請求項１１】
前記リトラクタが、実質的に円筒状の中空本体を有し、その遠位端部に、前記レーザビーム反射鏡が固定されている
ことを特徴とする請求項１に記載の装置。
【請求項１２】
前記実質的に円筒状の中空本体の遠位端部とレーザビーム反射鏡との間に隙間が画定され、
前記隙間を通して、レーザビーム反射鏡によって、装置が挿入される管又はオリフィスの壁に向けて反射されるレーザビーム用の自由軌道がのびている
ことを特徴とする請求項１１に記載の装置。
【請求項１３】
実質的に円筒状の中空本体の基部に近い端部に、レーザスキャニングシステムを収容する支持部材にリトラクタを接続するための要素が設けられている
ことを特徴とする請求項１１又は１２に記載の装置。
【請求項１４】
前記レーザビーム反射鏡が、レーザビーム反射鏡とリトラクタの実質的に円筒状の本体との間に自由空間を残す一つ又は複数のスペーサを用いて、リトラクタの実質的に円筒状の本体に接続される
ことを特徴とする請求項１１、１２又は１３に記載の装置。
【請求項１５】
前記スペーサが、レーザビーム反射鏡の角部に配置される
ことを特徴とする請求項１４に記載の装置。
【請求項１６】
リトラクタが管又はオリフィスの内部に挿入される深さを制御するためにリトラクタと協働する停止部材を備え、
前記停止部材及び前記リトラクタが、好ましくは、リトラクタの軸線に沿って相互に移動可能である
ことを特徴とする請求項１〜１５の何れか一項に記載の装置。
【請求項１７】
前記リトラクタが、停止部材を位置決めするための印を備えている
ことを特徴とする請求項１６に記載の装置。
【請求項１８】
少なくとも一つの電極、好ましくは二つの電極がリトラクタに沿って設けられ、無線周波数電源に接続され得る
ことを特徴とする請求項１〜１７の何れか一項に記載の装置。
【請求項１９】
前記一つ又は複数の電極が、リトラクタの実質的に円筒状の中空本体に沿ってのび、その外面に現れている
ことを特徴とする請求項１１及び１８に記載の装置。
【請求項２０】
二つの平行電極を備えている
ことを特徴とする請求項１８又は１９に記載の装置。
【請求項２１】
画像を装置から画像処理装置に伝達する無線システムを備えている
ことを特徴とする請求項１〜２０の何れか一項に記載の装置。
【請求項２２】
レーザ光源、導波路及び前記導波路を通して前記レーザ光源に接続される請求項１〜２１の何れか一項に記載の装置を備えているレーザ装置。
【請求項２３】
前記レーザ光源が、パルス状レーザ光源である
ことを特徴とする請求項２２に記載のレーザ装置。
【請求項２４】
前記レーザ光源が、連続レーザ光源である
ことを特徴とする請求項２２に記載のレーザ装置。
【請求項２５】
パルスが、約０．１ｍｓから約１０ｍｓの間の持続時間、好ましくは、約０．２ｍｓから２ｍｓの間の持続時間を有する
ことを特徴とする請求項２３に記載のレーザ装置。
【請求項２６】
前記レーザ光源の波長が、約１０００ｎｍから約１２，０００ｎｍの間であり、好ましくは、１０，６００ｎｍに等しい
ことを特徴とする請求項２２〜２５の何れか一項に記載のレーザ装置。
【請求項２７】
前記レーザ光源がＣＯ２レーザ光源である
ことを特徴とする請求項２６に記載のレーザ装置。
【請求項２８】
前記レーザ光源が、約２Ｗから約１００Ｗの間、好ましくは、約１０Ｗから約５０Ｗの間、より好ましくは約３０Ｗから約５０Ｗの間の出力を有する
ことを特徴とする請求項２２〜２７の何れか一項に記載のレーザ装置。
【請求項２９】
前記レーザ光源及び前記装置がパルス状処置パターンを発生するように制御され、
連続するスキャニングポイント間の間隔が、０から約５０００マイクロメータの間、好ましくは、５０から５０００マイクロメータの間、より好ましくは２００から２０００マイクロメータの間である
ことを特徴とする請求項２２〜２８の何れか一項に記載のレーザ装置。
【請求項３０】
パルス状又は連続レーザビームが、単一放射の持続時間の５倍になるまで、同じポイントで、放射持続時間を繰り返したままにするように制御される
ことを特徴とする請求項２２〜２９の何れか一項に記載のレーザ装置。
【請求項３１】
前記装置から画像を受信するための画像受信システムを備えている
ことを特徴とする請求項２２〜３０の何れか一項に記載のレーザ装置。
【請求項３２】
前記画像受信装置が、無線システムである
ことを特徴とする請求項３１に記載のレーザ装置。
【請求項３３】
湾曲鏡、特に、円錐又は切頭円錐鏡を用いて獲得した画像の歪みを低減又は除去するための画像処理システムを備えている
ことを特徴とする請求項２２〜３２の何れか一項に記載のレーザ装置。
【請求項３４】
膣管の粘膜を処置するためのレーザ装置であって、
・約１０００ｎｍから約１２０００ｎｍの間の波長を有するパルス状レーザ光源と、
・膣管の壁用のリトラクタ及び前記リトラクタに関連付けられたレーザビームスキャニングシステムを備えた膣管処置用装置と、
・前記装置に向けてレーザビームを伝達する導波路と
を備え、
前記リトラクタがピラミッド型又は切頭ピラミッド型レーザビーム反射鏡を備え、
該反射鏡にリトラクタの軸線の周りに配置され、かつ、それに対して傾斜された複数の平面反射面が設けられ、かつ、該反射鏡がリトラクタの遠位端部の近くに配置され、
レーザビームスキャニングシステムが、レーザビーム反射鏡の各平面反射面に向けてレーザビームを連続して指向するように構成され、かつ、制御され、
照射パターンに従う一連のレーザスポットが、各反射面上に生成され、各反射面によってリトラクタの外側に反射される
ことを特徴とするレーザ装置。